(57)【要約】【課題】  使い勝手がよい順番管理システムおよび順番管理方法を提供する。【解決手段】  順番管理サーバ３０は、ユーザ端末１０からメールアドレスと順番待ち要求とを受け付ける。ユーザ管理サーバ４０は、順番管理サーバ３０にて受け付けられた順番待ち要求に基づいて順番を管理する。情報配信サーバ５０は、ユーザ管理サーバ４０にて管理されている順番を取得するための情報として、順番管理サーバ３０にアクセスするためのアクセス情報を、メールアドレスにて特定される送信先に電子メールまたはインスタントメッセージで通知する。順番管理サーバ３０は、ユーザ管理サーバ４０にて管理されている順番を取得し、また、アクセス情報に基づいてアクセスされると、その取得した順番をそのアクセス元に送信する。【選択図】      図１
2006338288.tif 000002
【特許請求の範囲】
【請求項１】
利用者端末からメールアドレスを含む順番待ち要求を受け付ける順番管理サーバと、前記順番管理サーバにて受け付けられた順番待ち要求に基づいて順番を管理するユーザ管理サーバと、前記ユーザ管理サーバにて管理されている順番を取得するための情報を前記メールアドレスにて特定される送信先に通知する情報配信サーバと、を含む順番管理システムであって、
前記情報配信サーバは、前記順番管理サーバにアクセスするためのアクセス情報を前記送信先に電子メールまたはインスタントメッセージで通知し、
前記順番管理サーバは、前記ユーザ管理サーバにて管理されている順番を取得し、また、前記アクセス情報に基づいてアクセスされると、前記取得した順番をそのアクセス元に送信する、順番管理システム。
【請求項２】
請求項１に記載の順番管理システムにおいて、
前記順番管理サーバは、前記ユーザ管理サーバにて管理されている順番を変更し、
前記情報配信サーバは、前記順番管理サーバが前記順番を変更するたびに、前記アクセス情報を前記送信先に通知する、順番管理システム。
【請求項３】
請求項１または２に記載の順番管理システムにおいて、
前記ユーザ管理サーバは、プレゼンスサーバである、順番管理システム。
【請求項４】
利用者端末からメールアドレスを含む順番待ち要求を受け付ける順番管理サーバと、前記順番管理サーバにて受け付けられた順番待ち要求に対応する整理番号で順番を管理するユーザ管理サーバと、前記整理番号を前記メールアドレスにて特定される送信先に通知する情報配信サーバと、を含む順番管理システムであって、
前記順番管理サーバは、前記ユーザ管理サーバにて管理されている順番を変更し、
前記情報配信サーバは、前記順番管理サーバが前記順番を変更するたびに、前記整理番号を前記送信先に通知する、順番管理システム。
【請求項５】
利用者端末からメールアドレスを含む順番待ち要求を受け付ける順番管理サーバと、前記順番管理サーバにて受け付けられた順番待ち要求に基づいて順番を管理するユーザ管理サーバと、前記ユーザ管理サーバにて管理されている順番を取得するための情報を前記メールアドレスにて特定される送信先に通知する情報配信サーバと、を含む順番管理システムが行う順番管理方法であって、
前記順番管理サーバが、前記ユーザ管理サーバにて管理されている順番を取得する取得ステップと、
前記情報配信サーバが、前記順番管理サーバにアクセスするためのアクセス情報を前記送信先に電子メールまたはインスタントメッセージで通知する通知ステップと、
前記順番管理サーバが、前記アクセス情報に基づいてアクセスされると、前記取得した順番をそのアクセス元に送信する送信ステップと、を含む、順番管理方法。
【請求項６】
請求項５に記載の順番管理方法において、
前記順番管理サーバが、前記ユーザ管理サーバにて管理されている順番を変更する変更ステップをさらに含み、
前記通知ステップでは、前記情報配信サーバが、前記順番管理サーバが前記順番を変更するたびに、前記アクセス情報を前記送信先に通知する、順番管理方法。
【請求項７】
請求項５または６に記載の順番管理方法において、
前記ユーザ管理サーバは、プレゼンスサーバである、順番管理方法。
【請求項８】
利用者端末からメールアドレスを含む順番待ち要求を受け付ける順番管理サーバと、前記順番管理サーバにて受け付けられた順番待ち要求に対応する整理番号で順番を管理するユーザ管理サーバと、前記整理番号を前記メールアドレスにて特定される送信先に通知する情報配信サーバと、を含む順番管理システムが行う順番管理方法であって、
前記順番管理サーバが、前記ユーザ管理サーバにて管理されている順番を変更する変更ステップと、
前記情報配信サーバが、前記順番管理サーバが前記順番を変更するたびに、前記整理番号を前記送信先に通知する通知ステップと、を含む順番管理方法。
【発明の詳細な説明】
【技術分野】
【０００１】
本発明は、順番管理システムおよび順番管理方法に関し、例えば、IM&P（Instant Message and Presence)システムを用いた順番管理システムおよび順番管理方法に関する。
【背景技術】
【０００２】
従来の順番待ち管理システムの一例が、特許文献１（特開２００４−３８８２３号公報）に記載されている。
【０００３】
特許文献１に記載の順番待ち管理システムでは、娯楽施設や食堂などの施設に空がなかった場合、順番待ちをする利用者は、登録用端末または携帯端末から、サーバ内の順番待ちテーブルに、氏名または人数等の利用者情報と、利用者の携帯端末を呼び出す呼び出しコードと、を登録する。
【０００４】
サーバは、施設の利用状況をチェックして、施設に空ができた場合に、順番待ちテーブルを参照して利用者を割り当て、当該利用者の呼出コードを用いて順番が来たことを１回だけ報知する。また、サーバは、施設の利用状況をホームページ上に表示し、これにより利用者は、順番待ち状況を確認できる。
【０００５】
また、近年、状態通知者のプレゼンス情報を観察者に提供するプレゼンスサービスシステムが知られている。プレゼンスサービスシステムでは、サブスクライバ（観察者）は、観察予定のプレゼンティティ（状態通知者）を予め登録し、その登録されたプレゼンティティのプレゼンス情報を受け付ける。
【０００６】
特許文献２（特開２００４−２７２３１１号公報）には、プレゼンス情報の通知を、特定のサブスクライバ（観察者）にだけ行うプレゼンスサービスシステムが記載されている。
【０００７】
また、特許文献３（特開２００４−１６４５０７号公報）には、順番待ち情報を公開する仕組みとしてプレゼンスサービスシステムを用いた順番待ち情報提供システムが記載されている。以下、特許文献３に記載の順番待ち情報提供システムを簡単に説明する。
【０００８】
店舗側の認証情報発行部は、順番待ちを行う顧客の端末から、証明情報の発行を依頼されると、その顧客の順番待ち番号に基づいて証明情報を生成し、その証明情報を顧客の端末に送信する。なお、順番待ち番号は、プレゼンス情報連携部（プレゼンスサービスシステム）にて管理される。
【０００９】
店舗側の待ち状況公開サーバは、顧客の端末から証明情報を受け付けると、その証明情報が店舗側で発行されたか否かを確認し、その証明情報が店舗側で発行されたと確認すると、順番待ち情報を顧客の端末に送信する。
【特許文献１】特開２００４−３８８２３号公報
【特許文献２】特開２００４−２７２３１１号公報
【特許文献３】特開２００４−１６４５０７号公報
【発明の開示】
【発明が解決しようとする課題】
【００１０】
特許文献１に記載の順番待ち管理システムは、順番が近づいて来たら、１回に限りメールでその旨を知らせるシステムである。このため、利用者は、施設内で順番待ちをすることなくメールを受けるまで任意の場所に行くことができる。しかしながら、メールをいつ受信するのか予想がつかないので、順番待ちをしている間の時間を計画的に使うことができない。よって、利用者の使い勝手がよくない。
【００１１】
また、特許文献１に記載の順番待ち管理システムでは、施設の利用状況がホームページ上に表示される。このため、実際に順番待ちを行わないもの（例えば、同業他社）が、施設の利用状況を容易に把握することが可能になり、この利用を抑制できない。よって、システムの管理者の使い勝手がよくない。
【００１２】
特許文献２に記載のプレゼンスサービスシステムでは、サブスクライバは、観察予定のプレゼンティティを予め登録し、その登録されたプレゼンティティのプレゼンス情報を受け付ける。このため、順番を示す情報がプレゼンス情報として用いられると、サブスクライバ（利用者）は、順番を示す情報を提供する状態提供者を探し出し、その探し出した状態提供者を観察予定のプレゼンティティとして、自ら登録しなければならない。よって、利用者の使い勝手がよくない。
【００１３】
特許文献３に記載の順番待ち情報提供システムは、証明情報を生成し、また、その証明情報が店舗側で発行されたか否かを確認するという煩わしい処理を行わなければならない。また、特許文献３に記載の順番待ち情報提供システムは、証明情報の生成処理または証明情報の確認処理でエラーが発生すると、利用者に不便を与えてしまう。よって、利用者の使い勝手がよくない。
【００１４】
本発明の目的は、使い勝手がよい順番管理システムおよび順番管理方法を提供することである。
【課題を解決するための手段】
【００１５】
上記の目的を達成するために、本発明の順番管理システムは、利用者端末からメールアドレスを含む順番待ち要求を受け付ける順番管理サーバと、前記順番管理サーバにて受け付けられた順番待ち要求に基づいて順番を管理するユーザ管理サーバと、前記ユーザ管理サーバにて管理されている順番を取得するための情報を前記メールアドレスにて特定される送信先に通知する情報配信サーバと、を含む順番管理システムであって、前記情報配信サーバは、前記順番管理サーバにアクセスするためのアクセス情報を前記送信先に電子メールまたはインスタントメッセージで通知し、前記順番管理サーバは、前記ユーザ管理サーバにて管理されている順番を取得し、また、前記アクセス情報に基づいてアクセスされると、前記取得した順番をそのアクセス元に送信する。
【００１６】
また、本発明の順番管理方法は、利用者端末からメールアドレスを含む順番待ち要求を受け付ける順番管理サーバと、前記順番管理サーバにて受け付けられた順番待ち要求に基づいて順番を管理するユーザ管理サーバと、前記ユーザ管理サーバにて管理されている順番を取得するための情報を前記メールアドレスにて特定される送信先に通知する情報配信サーバと、を含む順番管理システムが行う順番管理方法であって、前記順番管理サーバが、前記ユーザ管理サーバにて管理されている順番を取得する取得ステップと、前記情報配信サーバが、前記順番管理サーバにアクセスするためのアクセス情報を前記送信先に電子メールまたはインスタントメッセージで通知する通知ステップと、前記順番管理サーバが、前記アクセス情報に基づいてアクセスされると、前記取得した順番をそのアクセス元に送信する送信ステップとを含む。
【００１７】
上記の発明によれば、利用者端末のユーザは、アクセス情報に基づいて順番管理サーバにアクセスすれば、順番を確認することが可能になる。このため、ユーザは、任意のタイミングで、順番を確認することができる。
【００１８】
また、アクセス情報は、情報配信サーバからメールアドレスにて特定される送信先に、電子メールまたはインスタントメッセージで通知される。このため、例えば、そのアクセス情報が、その送信先だけに送信されれば、実際に順番待ちを行わないもの（例えば、同業他社）が、順番待ちの状況を把握することを防止可能となる。
【００１９】
また、アクセス情報が情報配信サーバから通知されるため、利用者端末のユーザが、このアクセス情報を探し出す必要がない。
【００２０】
また、従来の順番待ち情報提供システムのように、証明情報の生成処理または証明情報の確認処理を行う必要がなくなる。
【００２１】
したがって、本発明によれば、使い勝手がよい順番管理システムおよび順番管理方法を提供することが可能になる。
【００２２】
前記順番管理サーバは、前記ユーザ管理サーバにて管理されている順番を変更し、前記情報配信サーバは、前記順番管理サーバが前記順番を変更するたびに、前記アクセス情報を前記送信先に通知することが望ましい。
【００２３】
上記の発明によれば、順番が変更されると、送信先に通知が行われる。このため、自分の順番がいつ来るか予想しやすくなる。
【００２４】
前記ユーザ管理サーバは、プレゼンスサーバであることが望ましい。
【００２５】
上記の発明によれば、例えば、送信先がユーザ管理サーバの観察者になれば、送信先のユーザは、順番の確認をリアルタイムで常時行うことが可能となる。
【００２６】
また、本発明の順番管理システムは、利用者端末からメールアドレスを含む順番待ち要求を受け付ける順番管理サーバと、前記順番管理サーバにて受け付けられた順番待ち要求に対応する整理番号で順番を管理するユーザ管理サーバと、前記整理番号を前記メールアドレスにて特定される送信先に通知する情報配信サーバと、を含む順番管理システムであって、前記順番管理サーバは、前記ユーザ管理サーバにて管理されている順番を変更し、前記情報配信サーバは、前記順番管理サーバが前記順番を変更するたびに、前記整理番号を前記送信先に通知する。
【００２７】
また、本発明の順番管理方法は、利用者端末からメールアドレスを含む順番待ち要求を受け付ける順番管理サーバと、前記順番管理サーバにて受け付けられた順番待ち要求に対応する整理番号で順番を管理するユーザ管理サーバと、前記整理番号を前記メールアドレスにて特定される送信先に通知する情報配信サーバと、を含む順番管理システムが行う順番管理方法であって、前記順番管理サーバが、前記ユーザ管理サーバにて管理されている順番を変更する変更ステップと、前記情報配信サーバが、前記順番管理サーバが前記順番を変更するたびに、前記整理番号を前記送信先に通知する通知ステップとを含む。
【００２８】
上記の発明によれば、利用者端末のユーザは、整理番号に基づいて順番を確認することが可能になる。このため、ユーザは、必要に応じて、順番を確認することができる。また、順番が変更されると、送信先に整理番号が通知される。このため、自分の順番がいつ来るか予想しやすくなる。したがって、本発明によれば、使い勝手がよい順番管理システムおよび順番管理方法を提供することが可能になる。
【発明の効果】
【００２９】
本発明によれば、順番管理システムおよび順番管理方法の使い勝手を改善することが可能となる。
【発明を実施するための最良の形態】
【００３０】
以下、本発明の実施例について図面を参照して詳細に説明する。
【００３１】
図１は、本発明の第１実施例の順番管理システムを示したブロック図である。
【００３２】
図１において、本順番管理システムは、ユーザ端末１０、キオスク端末２０、順番管理サーバ３０、ユーザ管理サーバ４０および情報配信サーバ５０を含む。
【００３３】
ユーザ端末１０、キオスク端末２０、順番管理サーバ３０、ユーザ管理サーバ４０および情報配信サーバ５０のそれぞれは、プログラム制御により動作し、また、インターネット等のネットワーク１００を介して相互に接続されている。
【００３４】
ユーザ端末１０およびキオスク端末２０は、パーソナルコンピュータまたは携帯電話機等の情報処理装置であり、順番管理サーバ３０が提供しているユーザ登録画面にアクセスして順番管理サーバ３０にユーザ情報（順番待ち要求）を提供する。
【００３５】
ユーザ情報は、例えば、ユーザ名、送信先を特定するためのメールアドレス、お客様用アカウント（IM&Pシステムアカウント)、電話番号、人数等の情報を含む。
【００３６】
順番管理サーバ３０は、ユーザ端末１０またはキオスク端末２０より、ユーザ情報を受信し、そのユーザ情報をユーザ管理サーバ４０に登録する。
【００３７】
ユーザ管理サーバ４０は、ＩＭ＆Ｐシステム(プレゼンスサーバ)であり、ユーザの状態（順番）およびユーザ情報を管理するデータベースを持つ。本実施例では、ユーザ管理サーバ４０は、ユーザの順番を示すプレゼンスリストを有する。
【００３８】
順番管理サーバ３０は、ユーザ管理サーバ４０のプレゼンスリストに示されている順番を変更することができる。また、順番管理サーバ３０は、そのプレゼンスリストに、新たな順番待ちユーザを追加することできる。
【００３９】
また、順番管理サーバ３０は、ユーザ管理サーバ４０から順番を取得し、その順番を示したリストをＷｅｂ等により公開する。
【００４０】
また、順番管理サーバ３０は、順番を更新すると、情報配信サーバ５０に情報配信要求を送信する。
【００４１】
なお、順番管理サーバ３０は、例えば、順番待ち要求を受け付ける登録手段、ユーザ管理サーバ４０にて管理されているユーザ情報およびプレゼンス（順番）を変更する順番変更手段、ユーザ管理サーバ４０にて管理されている順番のリスト（順番を一覧できるようにしたプレゼンスリスト）にユーザを追加および削除するユーザ追加削除手段、順番のリストを表示する順番のリスト表示手段、および、順番が変更したら情報（情報配信要求）を配信する情報配信手段を含む。
【００４２】
情報配信サーバ５０は、順番管理サーバ３０より情報配信要求を受信すると、ユーザ情報に含まれているメールアドレスにて特定される送信先に情報を配信する。
【００４３】
具体的には、情報配信サーバ５０は、ユーザ管理サーバ４０にて管理されている順番を取得するための情報を、その送信先に通知する。さらに言えば、情報配信サーバ５０は、順番管理サーバ３０にアクセスするためのアクセス情報を、その送信先に電子メールまたはインスタントメッセージで通知する。
【００４４】
次に、動作の概要を説明する。
【００４５】
本順番管理システムは、従来人の「状態」管理に適用されていたIM&Pシステム（プレゼンスシステム）４０のプレゼンス情報として、「順番」に用いることにより、バーチャルな行列を作り仮想的に順番待ちを管理する。
【００４６】
本実施例によれば、ユーザは、娯楽施設（例えば、カラオケ店またはボーリング場）、飲食店、病院等の施設内で順番を待っている必要がなく、メールを受信するまで自由に行動できる。
【００４７】
次に、動作を説明する。
【００４８】
図２ないし４は、図１に示した順番管理システムの動作を説明するためのフローチャート図である。以下、図２および３のフローチャートを参照して、本発明の第１実施例の動作について詳細に説明する。
【００４９】
なお、予め、ユーザ管理サーバ（IM&Pシステム）４０に、順番待ち用アカウント（ユーザＩＤ）が、順番待ちすると予想されるグループ数以上（数は任意）登録される。
【００５０】
順番待ち用アカウントは、使用時に動的にお客に割り当てられ、シーケンシャルに使いまわされる。順番待ち用アカウントは、そのアカウントが割り当てられたお客のお客様情報と対応づけられ、また、そのアカウントのプレゼンスと対応づけられる。本実施例では、順番待ち用アカウントのプレゼンスとして、その順番待ち用アカウントが割り当てられたお客の順番が使用される。
【００５１】
また、ユーザ管理サーバ４０が有する、順番待ち用アカウントおよびそのアカウントのプレゼンス（順番）を登録するためのプレゼンスリストに対して、共有アカウントが予め設定される。共有アカウントが設定されたプレゼンスリスト（以下「共有アカウントのプレゼンスリスト」と称する。）は、お客の順番を示すリストである。
【００５２】
なお、共有アカウントのプレゼンスリスト（順番のリスト）は、Ｗｅｂサーバ（順番管理サーバ３０）により公開可能である。
【００５３】
さらに、ユーザ管理サーバ（IM&Pシステム）４０を使って常時コミュニケーション等を行うお客に対して、お客様用アカウントが、事前に割り当てられる。ユーザ管理サーバ４０は、お客様用アカウントごとに、お客様用アカウントのプレゼンスリストを管理する。
【００５４】
まず、図２を参照して、順番待ち要求が送信されたときの動作を説明する。
【００５５】
まず、ステップＡ１では、順番待ちをするお客は、ユーザ端末１０を順番管理サーバ３０と接続し、自己のユーザ情報（例えば、名前、メールアドレス、お客様用アカウント、人数、電話番号等）をユーザ端末１０に入力する。なお、ユーザ情報は、順番待ち要求として用いられる。
【００５６】
ユーザ端末１０は、そのユーザ情報をお客様情報として受け付け、そのお客様情報を順番管理サーバ３０に送信する。順番管理サーバ３０は、ユーザ端末１０からお客様情報を受け付けると、ステップＡ２を実行する。
【００５７】
ステップＡ２では、順番管理サーバ３０は、ユーザ管理サーバ４０に接続し、事前にユーザ管理サーバ４０に登録された順番待ち用アカウントの中から、共有アカウントのプレゼンスリストに登録されていない順番待ち用アカウントを検索する。順番管理サーバ３０は、その順番待ち用アカウントを検索すると、ステップＡ３を実行する。
【００５８】
ステップＡ３では、順番管理サーバ３０は、その検索された順番待ち用アカウントに対応するお客様情報を更新する。
【００５９】
具体的には、順番管理サーバ３０は、ユーザ端末１０から受け付けたお客様情報を、その検索された順番待ち用アカウントに対応づけてユーザ管理サーバ４０に登録する。順番管理サーバ３０は、その順番待ち用アカウントに対応するユーザ情報を更新すると、ステップＡ４を実行する。
【００６０】
ステップＡ４では、順番管理サーバ３０は、そのユーザ情報が更新された順番待ち用アカウントのプレゼンスを更新する。
【００６１】
具体的には、順番管理サーバ３０は、共有アカウントのプレゼンスリストに示されている順番待ち用アカウントを確認し、その確認された順番待ち用アカウントに対応づけられたプレゼンス（順番）の中で最後の順番を確認する。順番管理サーバ３０は、その最後の順番に１を加えた順番（例えば「１０番」)を、そのユーザ情報が更新された順番待ち用アカウントのプレゼンスとして、ユーザ管理サーバ４０に登録する。
【００６２】
順番管理サーバ３０は、その順番待ち用アカウントのプレゼンスを更新すると、ステップＡ５を実行する。
【００６３】
ステップＡ５では、順番管理サーバ３０は、共有アカウントのプレゼンスリストに、そのプレゼンスが更新された順番待ち用アカウントと、その順番待ち用アカウントのプレゼンス（順番）とを、対応づけて追加登録する。
【００６４】
その後、順番管理サーバ３０は、共有アカウントのプレゼンスリストを取得し、その取得された共有アカウントのプレゼンスリストを示すプレゼンスリストＷｅｂページを公開する。
【００６５】
なお、ユーザ端末１０から受け付けたお客様情報にお客様用アカウントが含まれていると、順番管理サーバ３０は、次に、ステップＡ６を実行する。
【００６６】
ステップＡ６では、順番管理サーバ３０は、ユーザ管理サーバ４０にて管理されている、そのお客様用アカウントのプレゼンスリストに、そのプレゼンスが更新された順番待ち用アカウントと、その順番待ち用アカウントのプレゼンス（順番）とを、対応づけて追加登録する。
【００６７】
また、順番管理サーバ３０は、共有アカウントのプレゼンスリストを更新すると、ステップＡ７を実行する。
【００６８】
ステップＡ７では、順番管理サーバ３０は、情報配信サーバ５０に情報配信要求を送信する。
【００６９】
具体的には、順番管理サーバ３０は、共有アカウントのプレゼンスリストに示されている順番待ち用アカウントを確認し、その確認された順番待ち用アカウントに対応づけられたお客様情報を選択する。続いて、順番管理サーバ３０は、その選択されたお客様情報に含まれるメールアドレスを取得する。続いて、順番管理サーバ３０は、その取得されたメールアドレスを含む情報配信要求を情報配信サーバ５０に送信する。
【００７０】
情報配信サーバ５０は、情報配信要求を受け付けると、ステップＡ８を実行する。
【００７１】
ステップＡ８では、情報配信サーバ５０は、情報配信要求に含まれるメールアドレスにて特定される送信先（例えば、ユーザ端末１０）に、電子メールまたはインスタントメッセージで、情報を送信する。
【００７２】
この情報は、共有アカウントのプレゼンスリストを示すプレゼンスリストＷｅｂページを公開するＷｅｂサーバ（順番管理サーバ３０）のアドレス（アクセス情報）を含む。
【００７３】
送信先（例えば、ユーザ端末１０）は、その情報を受信した後に、順番待ちをするお客にて、その送信されたアドレスに基づいてＷｅｂサーバ（順番管理サーバ３０）に接続されると、ステップＡ９を実行する。なお、Ｗｅｂサーバ（順番管理サーバ３０）は、その送信されたアドレスに基づいて接続されると、プレゼンスリストＷｅｂページを、その接続元に送信する。
【００７４】
ステップＡ９では、送信先（例えば、ユーザ端末１０）は、Ｗｅｂサーバ（順番管理サーバ３０）からプレゼンスリストＷｅｂページを取得して共有アカウントのプレゼンスリストを表示する。
【００７５】
このため、順番待ちをするお客は、情報配信サーバ５０から送信されたアドレスに基づいて、任意のタイミングで、任意に端末をＷｅｂサーバ（順番管理サーバ３０）に接続すれば、現在の順番を任意のタイミングで確認できる。
【００７６】
情報配信サーバ５０は、プレゼンス（順番）が変化したときに、情報（アクセス情報）を送付できる。また、情報配信サーバ５０では、その情報を送付する条件が、任意に設定可能である。例えば、プレゼンスが「順番待ち(2番)」になったらメールを送付するという条件が情報配信サーバ５０に設定されると、情報配信サーバ５０は、プレゼンスが「順番待ち(２番)」になったらメールを送付する。
【００７７】
また、お客がお客様用アカウントを所持している場合、そのお客は、お客様用アカウントのプレゼンスリストより現在の順番を確認でき、また、お客様用アカウントがIM&Pシステムのアカウントであるため、常時お客様間やお店側とVoIPやIMのやり取りができる。
【００７８】
次に、図３を参照して、あるお客の順番待ちが終了したときの動作を説明する。
【００７９】
あるお客の順番待ちが終了すると、順番管理サーバ３０は、ステップＢ１を実行する。なお、あるお客の順番待ちが終了した旨の情報は、例えば、順番待ちが終了したお客に対応する順番待ち用アカウントを削除する旨の情報であり、この情報は、例えば、順番管理システムの管理者にて、順番管理サーバ３０に入力される。
【００８０】
ステップＢ１では、順番管理サーバ３０は、共有アカウントのプレゼンスリストから、順番待ちの終わったお客の対応づけられていた順番待ち用アカウントおよびそのアカウントのプレゼンスを削除する。
【００８１】
なお、順番待ちの終わったお客のユーザ情報がお客様用アカウントを含んでいた場合、順番管理サーバ３０は、次に、ステップＢ２を実行する。
【００８２】
ステップＢ２では、順番管理サーバ３０は、そのお客様用アカウントのプレゼンスリストより、その順番待ち用アカウントおよびそのアカウントのプレゼンスを削除する。
【００８３】
順番管理サーバ３０は、その順番待ち用アカウントおよびそのアカウントのプレゼンスを削除すると、ステップＢ３を実行する。
【００８４】
ステップＢ３では、順番管理サーバ３０は、共有アカウントのプレゼンスリストに登録されている順番待ち用アカウントのプレゼンスのそれぞれを、現在の順番より一つ進んだ順番に更新する(例えば「１０番」を「９番」に更新する。)
順番管理サーバ３０は、共有アカウントのプレゼンスリストに示されたプレゼンスを更新すると、ステップＢ４を実行する。以下、情報配信サーバ５０がステップＢ５を実行し、その後、送信先（例えばユーザ端末１０）がステップＢ６を実行する。なお、ステップＢ４はステップＡ７と同様であり、ステップＢ５はステップＡ８と同様であり、ステップＢ６はステップＡ９と同様である。
【００８５】
したがって、情報配信サーバ５０は、プレゼンス（順番）が変化したときに、情報（アクセス情報）を送付する。
【００８６】
次に、図４を参照して、順番待ちをしていたお客が順番待ちを途中でキャンセルする場合の動作を説明する。
【００８７】
まず、ステップＣ１では、順番待ちを途中でキャンセルするお客は、ユーザ端末１０を順番管理サーバ３０と接続し、キャンセル要求をユーザ端末１０に入力する。ユーザ端末１０は、そのキャンセル要求を順番管理サーバ３０に送信する。なお、このキャンセル要求は、そのお客のユーザ情報を含む。
【００８８】
順番管理サーバ３０は、ユーザ端末１０からキャンセル要求を受信すると、ステップＣ２を実行する。
【００８９】
ステップＣ２では、順番管理サーバ３０は、ユーザ管理サーバ４０を参照して、キャンセル要求に含まれるユーザ情報に対応づけられた順番待ち用アカウントを特定する。順番管理サーバ３０は、その特定された順番待ち用アカウントおよびそのアカウントのプレゼンスを、共有アカウントのプレゼンスリストから削除する。
【００９０】
なお、キャンセル要求に含まれるユーザ情報がお客様用アカウントを含んでいた場合、順番管理サーバ３０は、次に、ステップＣ３を実行する。
【００９１】
ステップＣ３では、順番管理サーバ３０は、そのお客様用アカウントのプレゼンスリストより、その特定された順番待ち用アカウントおよびそのアカウントのプレゼンスを削除する。
【００９２】
順番管理サーバ３０は、その順番待ち用アカウントおよびそのアカウントのプレゼンスを削除すると、ステップＣ４を実行する。
【００９３】
ステップＣ４では、順番管理サーバ３０は、共有アカウントのプレゼンスリストに登録されている順番待ち用アカウントのプレゼンスの内容をみて、キャンセルした順番待ち用アカウントの順番より後の順番待ち用アカウントのプレゼンスを、現在の順番より一つ進んだ順番に更新する。
【００９４】
順番管理サーバ３０は、プレゼンスを更新すると、ステップＣ５を実行する。以下、情報配信サーバ５０がステップＣ６を実行し、その後、送信先（例えばユーザ端末１０）がステップＣ７を実行する。なお、ステップＣ５はステップＡ７と同様であり、ステップＣ６はステップＡ８と同様であり、ステップＣ７はステップＡ９と同様である。
【００９５】
なお、上記実施例において、ユーザ端末１０の代わりにキオスク端末２０が用いられてもよい。
【００９６】
本実施例によれば、ユーザ端末１０またはキオスク端末２０のユーザは、アクセス情報に基づいて順番管理サーバ３０にアクセスすれば、順番を確認することが可能になる。このため、ユーザは、必要に応じて、順番を確認することができる。
【００９７】
また、アクセス情報は、情報配信サーバ５０からメールアドレスにて特定される送信先に、電子メールまたはインスタントメッセージで通知される。このため、例えば、そのアクセス情報が、その送信先だけに送信されれば、実際に順番待ちを行わないもの（例えば、同業他社）が、順番待ちの状況を把握することを防止可能となる。
【００９８】
また、アクセス情報が情報配信サーバ５０から通知されるため、ユーザ端末１０またはキオスク端末２０のユーザが、このアクセス情報を探し出す必要がない。
【００９９】
また、従来の順番待ち情報提供システムのように、証明情報の生成処理または証明情報の確認処理を行う必要がなくなる。
【０１００】
したがって、本実施例によれば、使い勝手がよい順番管理システムおよび順番管理方法を提供することが可能になる。
【０１０１】
また、本実施例によれば、以下の効果を奏する。
【０１０２】
第１の効果は、飲食店、娯楽施設、病院等の順番待ちにおいて、順番待ちする者は、施設内で順番待ちをすることなく任意の場所にいくことができる。その理由は、順番が近づいたら、その旨をシステムが通知してくれるためである。
【０１０３】
第２の効果は、順番待ちする者は、順番待ち中の計画をたてやすくする。その理由は、順番に変化があったときに通知してくれるので、順番待ちする者は、自分の番がいつ来るのかが予想することができるためである。
【０１０４】
次に、本発明の第２実施例を説明する。なお、第２実施例の構成は、第１実施例の構成と同様である。
【０１０５】
第１の実施例では、共有プレゼンスリストに順番が登録され、順番待ちするお客は、その共有プレゼンスリストを参照して現在の自分の順番を確認した。
【０１０６】
これに対して、第２の実施例では、登録時に、順番待ちするお客に対して、整理番号が割り当てられ、また、順番管理サーバ３０は、ユーザ管理サーバ４０に、順番待ち状態をその整理番号を用いて管理させる。また、お客が、自分のアカウントを持つ。順番管理サーバ３０は、お客のアカウントに、その順番待ち状態を対応づける。お客は、自分のアカウントに対応づけられた順番待ち状態にて示された整理番号を用いて、現在の順番を確認する。自分の順番でなく整理番号をプレゼンスとして確認するところが第１の実施例と違う。
【０１０７】
図５は、第２実施例の動作を説明するためのフローチャートである。以下、図５を参照して、第２実施例の動作を説明する。
【０１０８】
なお、予め、ユーザ管理サーバ４０に、お店用アカウントと、お客様用アカウントとが設定される。
【０１０９】
お店用アカウントは、順番待ち状態をお客に割り当てられた整理番号にて示すプレゼンスリストと対応づけられる。
【０１１０】
お客様用アカウントは、ユーザ管理サーバ（IM&Pシステム）４０を使って常時コミュニケーション等を行うお客に対して、事前に割り当てられる。ユーザ管理サーバ４０は、お客様用アカウントごとに、お客様用アカウントのプレゼンスリストを管理する。
【０１１１】
まず、ステップＤ１では、順番待ちをするお客は、ユーザ端末１０を順番管理サーバ３０と接続し、自己のユーザ情報（例えば、名前、メールアドレス、お客様用アカウント、人数、電話番号等）をユーザ端末１０に入力する。なお、ユーザ情報は、順番待ち要求として用いられる。
【０１１２】
ユーザ端末１０は、そのユーザ情報をお客様情報として受け付け、そのお客様情報を順番管理サーバ３０に送信する。順番管理サーバ３０は、ユーザ端末１０からお客様情報を受け付けると、ステップＤ２を実行する。
【０１１３】
ステップＤ２では、順番管理サーバ３０は、その受け付けられたお客様情報に整理番号を割り当てる。なお、この整理番号は、例えば、お客様情報を受け付けた順序を示す通し番号である。
【０１１４】
順番管理サーバ３０は、そのお客様情報に含まれるメールアドレスと、その割り当てられた整理番号とを含む情報配信要求を、情報配信サーバ５０に送信する。
【０１１５】
情報配信サーバ５０は、情報配信要求を受け付けると、ステップＤ３を実行する。
【０１１６】
ステップＤ３では、情報配信サーバ５０は、情報配信要求に含まれるメールアドレスにて特定される送信先（例えば、ユーザ端末１０）に、電子メールまたはインスタントメッセージで、情報配信要求に含まれる整理番号を送信する。
【０１１７】
また、順番管理サーバ３０は、情報配信要求を情報配信サーバ５０に送信すると、ステップＤ４を実行する。
【０１１８】
ステップＤ４では、順番管理サーバ３０は、ユーザ管理サーバ４０のお店用アカウントのプレゼンスリストに、その割り当てられた整理番号を追加する。続いて、順番管理サーバ３０は、そのお客様情報に対応するお客に対して、事前に割り当てたお客様用アカウントのプレゼンスリストに、お店用アカウントのプレゼンスリストを追加する。
【０１１９】
これより、お客様は、お客様用アカウントのプレゼンスリストを用いることにより、現在の順番を常時確認できる。
【０１２０】
また、順番管理サーバ３０は、ユーザ管理サーバ４０にて管理されている順番を変更しする。順番管理サーバ３０は、ユーザ管理サーバ４０にて管理されている順番を変更すると、情報配信サーバ５０に情報配信要求を送信する。情報配信サーバ５０は、情報配信要求を受け付けると、ステップＤ３を実行する。
【０１２１】
また、お客様用アカウントは、IM&Pシステムのアカウントであるため、お客は、常時お客様間やお店側とVoIPやIMのやり取りができる。
【０１２２】
本実施例によれば、ユーザ端末１０またはキオスク端末２０のユーザは、情報配信サーバ５０から通知された整理番号に基づいて、順番を確認することが可能になる。このため、ユーザは、必要に応じて、順番を確認することができる。また、順番が変更されると、送信先に整理番号が通知される。このため、自分の順番がいつ来るか予想しやすくなる。
【０１２３】
なお、本実施例は、娯楽施設（カラオケ、ボーリング等）、飲食店、病院等の待ち時間管理するシステムといった用途に適用できる。また、IM&Pシステムを使用しているので、IMを使ったリアルタイムコミュニケーションができ、お店はお客のプレゼンスや位置情報を確認することができる。
【０１２４】
以上説明した各実施例において、図示した構成は単なる一例であって、本発明はその構成に限定されるものではない。
【図面の簡単な説明】
【０１２５】
【図１】本発明の一実施例を示したブロック図である。
【図２】本発明の第１実施例の動作を説明するためのフローチャートである。
【図３】本発明の第１実施例の動作を説明するためのフローチャートである。
【図４】本発明の第１実施例の動作を説明するためのフローチャートである。
【図５】本発明の第２実施例の動作を説明するためのフローチャートである。
【符号の説明】
【０１２６】
１０      ユーザ端末
２０      キオスク端末
３０      順番管理サーバ
４０      ユーザ管理サーバ
５０      情報配信サーバ
１００      ネットワーク
【図１】
2006338288.tif 000003
【図２】
2006338288.tif 000004
【図３】
2006338288.tif 000005
【図４】
2006338288.tif 000006
【図５】
2006338288.tif 000007